(57)【要約】【課題】移動と回動、２方向への回動が一度に発生しても、確実にバックルを最適位置に位置させる。【解決手段】少なくとも上方が開口し、かつ一方側壁に例えば長孔３ｂを設けた容器３と、容器３の長孔３ｂに挿入され、容器３内に上方の開口から下部を挿入したバックル２を容器３に取付ける、長孔３ｂより小径のピン４と、このピン４の挿入部における容器３の内側とバックル２間に設置され、バックル２を長孔３ｂの最上部位置で保持し、下方向への移動時には上方向への復帰を行なわせるコイルスプリング５と、容器３とバックル２との間に設置され、バックル２の回動時、回動停止位置での緩衝と、回動力が解除された場合の復帰を行わせるゴム６を備えたシートベルトのバックル装置１である。【効果】移動や回動が一度に行われた場合でも、確実に元の位置に復帰できる。またサブマリン現象が起こった場合にも、乗員の拘束が確実に行える。【選択図】図１
2008213679.tif 000002
【特許請求の範囲】
【請求項１】
少なくとも上方が開口し、かつ一方側壁に孔を設けた容器と、
この容器の前記孔に挿入され、この容器内に前記上方の開口から下部を挿入したバックルを容器に取付ける、前記孔より小径のピンと、
このピンの挿入部における容器の内側とバックル間に設置され、前記バックルの前記孔の最上部位置での保持と、この最上部位置から移動した際に、少なくとも最上部位置への復帰を行わせる付勢部材と、
前記容器と前記バックルとの間に設置され、バックルの回動時、回動停止位置での緩衝と、回動させた力が解除された場合に元の位置への復帰を行わせる緩衝復元材を、
備えたことを特徴とするシートベルトのバックル装置。
【請求項２】
前記孔は、上下方向に長い長孔であることを特徴とする請求項１に記載のシートベルトのバックル装置。
【請求項３】
前記ピンはバックルに取付けられており、このピンに容器の外側から大径の頭部を有するボルトをねじ込むことで、バックルの容器への取付けを行うことを特徴とする請求項１又は２に記載のシートベルトのバックル装置。
【請求項４】
前記緩衝復元材は、少なくとも前記ピンを挿入した側を除く３つの側壁内部に設置されていることを特徴とする請求項１〜３の何れかに記載のシートベルトのバックル装置。
【発明の詳細な説明】
【技術分野】
【０００１】
本発明は、例えば自動車のシートベルトを着脱するバックル装置に関し、特に後部座席への取付けに適したバックル装置に関するものである。
【背景技術】
【０００２】
自動車には、乗員の安全確保を目的として、幾つかの安全装置が設置されている。その１つであるシートベルト装置は、その一端を車体に取付けたシートベルトを、スルーアンカーで方向を変えるなどした後、バックル装置に装着することで乗員を拘束し、衝突などの緊急時に、乗員を保護する。
【０００３】
このバックル装置を後部座席に取付ける場合、従来は、車体の床部に取付けたアンカープレートに、シートクッション部に開けた孔を通したベルトやワイヤーなどで繋いだ構造であった。
【０００４】
このように、アンカープレートとバックル本体をベルトやワイヤーなどで繋いだ理由は、乗員が後部座席に乗り込む時に、乗員の臀部にバックル本体が当たっても痛くないようにするためである。
【０００５】
また、例えばサブマリン現象が起こった場合に、乗員の拘束を確実に行うためには、バックル本体はシートクッション部の内部に設置し、できるだけ車体の床部に近づけることが望ましい。
【０００６】
そこで、常にバックル本体の最適位置を維持し、しかも車体床部近傍への設置を可能にして、サブマリン現象が起こった場合の乗員拘束を確実に行えるよう、上下移動と２方向の回動及び自動復帰を可能に構成したバックル装置が開示されている（特許文献１）。
【特許文献１】特開平１０−２０３３０４号公報
【発明の開示】
【発明が解決しようとする課題】
【０００７】
しかしながら、特許文献１で開示されたバックル装置は、移動と回動や、２方向への回動が一度に発生した場合、確実な復帰が担保されない場合が起こり得る。
【０００８】
本発明が解決しようとする問題点は、バックル本体を最適位置に位置させることが可能な従来装置では、移動と回動や、２方向への回動が一度に発生した場合、確実な復帰が担保されない場合が起こり得るという点である。
【課題を解決するための手段】
【０００９】
本発明のシートベルトのバックル装置は、このような観点からなされたもので、車体床部近傍への設置を可能にしつつ、移動と回動や、２方向への回動が一度に発生した場合でも、確実にバックル本体を最適位置に位置させるようにするものである。
【００１０】
すなわち、本発明のシートベルトのバックル装置は、
少なくとも上方が開口し、かつ一方側壁に孔を設けた容器と、
この容器の前記孔に挿入され、この容器内に前記上方の開口から下部を挿入したバックルを容器に取付ける、前記孔より小径のピンと、
このピンの挿入部における容器の内側とバックル間に設置され、前記バックルの前記孔の最上部位置での保持と、この最上部位置から移動した際に、少なくとも最上部位置への復帰を行わせる付勢部材と、
前記容器と前記バックルとの間に設置され、バックルの回動時、回動停止位置での緩衝と、回動させた力が解除された場合に元の位置への復帰を行わせる緩衝復元材を、
備えたことを最も主要な特徴としている。
【００１１】
本発明のシートベルトのバックル装置においては、バックルの上下方向への移動を可能とするために、ピンの外形よりも大きな内径を有した孔としている。従って、移動量と容器への取付けを考慮した場合、上下方向に長い長孔とすることが望ましい。
【００１２】
また、本発明のシートベルトのバックル装置においては、バックルを容器に取付ける手段としては、例えば前記ピンをバックルに取付け、このピンに容器の外側から前記孔を貫通しない大径の頭部を有するボルトをねじ込むことによって行えばよい。
【００１３】
さらに、本発明のシートベルトのバックル装置においては、バックルが前記ピンを中心とするピンと直交する方向や、ピンの長手方向に回動することも可能としている。従って、これらの方向への回動時に、元の位置に復帰できるようにするため、前記緩衝復元材は、少なくとも前記ピンを挿入した側を除く３つの側壁内部に設置することが望ましい。
【００１４】
本発明において、「上」とは、車両の天井方向を、また「下」とは、車両の床方向を言う。
【発明の効果】
【００１５】
本発明は、主に下方向に移動した場合の復帰はばねにより行なうが、ピンを中心とするピンと直交する方向や、ピンの長手方向に回動した場合の復帰は前記ばねに加えてそれぞれの緩衝復元材によっても行うので、移動や回動が一度に行われた場合でも、確実に元の位置に復帰できる。また、車体床部近傍に設置することができ、サブマリン現象が起こった場合にも、乗員の拘束が確実に行える。
【発明を実施するための最良の形態】
【００１６】
以下、本発明を実施するための最良の形態の一例について、図１〜図４を用いて説明する。
図１は本発明のシートベルトのバックル装置の一例を示す分解斜視図、図２は図１で示した本発明のバックル装置に装着したバックルの移動方向と回動方向を説明する図、図３は図１で示した本発明のバックル装置の縦断面図、図４は図１で示した本発明のバックル装置を設置する後部座席の説明図である。
【００１７】
１は本発明のバックル装置であり、例えば図３、図４に示したように、自動車の後部座席Ｓの下方の床部Ｆに、後部座席ＳのシートクッションＳｃに設けた孔Ｓｈからバックル２の上部が覗くように取付けるものである。
【００１８】
この本発明のバックル装置１は、バックル２の下部を挿入する容器３と、この容器３にバックル２を取付けるピン４と、このピン４を用いて容器３に取付けられたバックル２を所定位置に位置させる付勢部材５及び緩衝復元材６とで構成されている。
【００１９】
このうち容器３は、例えば図３に示すように、上部と下部が開口した筒形の下部に、車両の床部Ｆへの取り付け部３ａを外側に折り曲げて形成したもので、その一方側壁に上下方向に長い長孔３ｂを設けている。
【００２０】
一方、容器３内に下部を挿入したバックル２の前記長孔３ｂと対向する側面には、長孔３ｂに挿入するピン４が突出状に取付けられ、このピン４に容器３の外側から大径の頭部７ａを有するボルト７をねじ込むことで、バックル２が容器３に取付けられる。
【００２１】
この取付け状態では、バックル２は、長孔３ｂに沿って上下方向に自由に移動（図２の矢印イ）できる。またバックル２が容器３に当接するまで、ピン４を中心としたピン４と直交する方向の回動（図２の矢印ロ）と、ピン４の長手方向への回動（図２の矢印ハ）が自在に行える。
【００２２】
従って、上下方向の移動に対しては、付勢部材５を用いて、常時、長孔３ｂの最も上方の位置に位置するようにしている。発明例では、ピン４にコイルスプリング５（付勢部材５）を嵌め、このコイルスプリング５の一方端５ａを容器３の長孔３ｂ近傍に設けた固定孔３ｃに、他方端５ｂをバックル２のピン４近傍に設けた固定孔２ａに挿入することで、前記位置に位置させている。
【００２３】
また、ピン４を中心としたピン４と直交する方向の回動（矢印ロ）に対しては、バックル２の幅方向の側面２ｂが、容器３の長孔３ｂと直交する方向の側面３ｄと平行になるよう、前記側面３ｄとバックル２間に例えばゴム６ａ（緩衝復元材６）を挿入している。
【００２４】
さらに、ピン４の長手方向への回動（矢印ハ）に対しては、バックル２のピン長手方向側面２ｃが、この側面２ｃと相対する容器側面３ｅと平行になるよう、長孔３ｂと対向する側の容器側面３ｅとバックル２間に例えばゴム６ｂ（緩衝復元材６）を挿入している。
【００２５】
発明例では、図３に示すように、バックル２の下部と、床部Ｆの間にも例えばゴム６ｃ（緩衝復元材６）を挿入し、長孔３ｂの最上位位置での保持と、下方向に移動した場合の復帰を補助するようにしたものを示している。
【００２６】
このような構成の本発明のバックル装置１では、図３に示すように、車体の床部Ｆの近傍に設置することができる。従って、例えばサブマリン現象が起こった場合にも、乗員を確実に拘束することができる。
【００２７】
また、本発明のバックル装置１では、主に下方向に移動した場合の復帰は、コイルスプリング５によって行われる。この際、本発明例では、ゴム６ｃも前記復帰を補助する。また、ピン４を中心とするピン４と直交する方向に回動した場合の復帰は、コイルスプリング５とゴム６ａによって行われる。さらに、ピン４の長手方向に回動した場合の復帰は、コイルスプリング５とゴム６ｂによって行われる。従って、前記の移動や回動が一度に行われた場合でも、確実に元の位置に復帰することができる。
【００２８】
本発明は上記の例に限らず、各請求項に記載された技術的思想の範疇であれば、適宜実施の形態を変更しても良いことは言うまでもない。
【００２９】
例えば容器３の場合、添付図面の発明例では、上部と下部が開口したものを示しているが、上部のみ開口したものでもよい。また、容器３に設ける孔も長孔３ｂに限るものではなく、所定量の上下移動ができるものであれば、大径の円孔でもよい。
【００３０】
また、緩衝復元材６は、ゴムに限らず同様の作用を奏するものであれば、ポリウレタン製のパッドなどでも良い。また、前記側面３ｄとバックル２間に挿入する緩衝復元材６と、前記側面３ｅとバックル２間に挿入する緩衝復元材６は異なる材質でもよい。さらに、バックル２の下部には必ずしも緩衝復元材６を設置しなくてもよい。
【産業上の利用可能性】
【００３１】
本発明のエアバッグ装置は、自動車に設置して用いるが、車両以外に航空機や船舶等の乗物に設けることも可能であり、同様な効果が発揮される。
【図面の簡単な説明】
【００３２】
【図１】本発明のシートベルトのバックル装置の一例を示す分解斜視図である。
【図２】図１で示した本発明のバックル装置に装着したバックルの移動方向と回動方向を説明する図である。
【図３】図１で示した本発明のバックル装置の縦断面図である。
【図４】図１で示した本発明のバックル装置を設置する後部座席の説明図である。
【符号の説明】
【００３３】
１    バックル装置
２    バックル
３    容器
３ｂ    長孔
４    ピン
５    付勢部材（コイルスプリング）
６、６ａ〜６ｃ    緩衝復元材（ゴム）
７    ボルト
７ａ    頭部
【図１】
2008213679.tif 000003
【図２】
2008213679.tif 000004
【図３】
2008213679.tif 000005
【図４】
2008213679.tif 000006